(57)【要約】【課題】園芸用支柱に交差するテープ状体またはネットを該支柱に確実に係止させるテープ係止具を提供する。【解決手段】本考案の農園芸用支柱のテープ係止具１０は、農園芸用の支柱を上下に摺動可能に挟持すると共に、該支柱と交差するテープ状体を離脱不能に保持するテープ係止具１０であって、該テープ係止具は長さ方向略中央部分の連結部１７を介して一方側に第１支柱挟持部１２を他方側に第２支柱挟持部１３を有し、双方の支柱挟持部１２，１３は、拡開時において前記支柱を導入し得る開口部１２１，１３１を支柱の外径未満の開口幅で有する筒状体であり、かつ前記連結部１７は前記開口に対する面側で前記支柱を略半円周の円弧で覆う断面形状を有し、前記連結部に対する開口面側は前記テープ状体を通すための切り欠き溝１１となっていることを特徴とする。【選択図】  図１
0003187316.tif 000002
【実用新案登録請求の範囲】
【請求項１】
農園芸用の支柱を上下に摺動可能に挟持すると共に、該支柱と交差するテープ状体を離脱不能に保持するテープ係止具であって、該テープ係止具は長さ方向略中央部分の連結部を介して一方側に第１支柱挟持部を他方側に第２支柱挟持部を有し、双方の支柱挟持部は、拡開時において前記支柱を導入し得る開口部を支柱の外径未満の開口幅で有する筒状体であり、かつ前記連結部は前記開口に対する面側で前記支柱を略半円周の円弧で覆う断面形状を有し、前記連結部に対する開口面側は前記テープ状体を通すための切り欠き溝となっていることを特徴とする農園芸用支柱のテープ係止具。
【請求項２】
前記筒状体の前記開口部に対する背面に、筒状体の軸線方向の強度を強化する背面リブを有し、前記第１支柱挟持部と第２支柱挟持部には、筒状体の断面中心方向の圧縮力を強化する円弧状の横リブを有することを特徴とする請求項１記載の農園芸用支柱のテープ係止具。
【請求項３】
前記連結部の支柱外周面に接する内面には前記テープ状体を納めるテープ溝が形成されていることを特徴とする請求項１または請求項２記載の農園芸用支柱のテープ係止具。
【請求項４】
農園芸用の支柱を上下に摺動可能に挟持すると共に、該支柱と交差するテープ状体を離脱不能に保持するテープ係止具であって、該テープ係止具は長さ方向略中央部分の連結片を介して一方側に第１支柱挟持部を他方側に第２支柱挟持部を有し、双方の支柱挟持部は、拡開時において前記支柱を導入し得る開口部を支柱の外径未満の開口幅で有する筒状体であり、かつ前記連結片は前記開口に対する面側でテープ係止具の外方に環状に湾曲して突出する側面形状を有し、前記連結片に対する開口面側は前記テープ状体を通すための切り欠き溝となっていることを特徴とする農園芸用支柱のテープ係止具。
【請求項５】
前記筒状体の前記開口部に対する背面に、筒状体の軸線方向の強度を強化する背面リブを前記連結片を兼ねて有し、前記第１支柱挟持部と第２支柱挟持部には、筒状体の断面中心方向の圧縮力を強化する円弧状の横リブを有することを特徴とする請求項４記載の農園芸用支柱のテープ係止具。
【請求項６】
前記横リブには、円弧状の輪ばねが嵌め込まれていることを特徴とする請求項１乃至請求項２または請求項５記載の農園芸用支柱のテープ係止具。
【考案の詳細な説明】
【技術分野】
【０００１】
本考案は、農園芸用の支柱に用いるテープ係止具に関する。農業または園芸の分野においては、つる性の作物あるいは直立成長性の植物には、支持用の支柱（パイプまたは棒材）とそれに交差するようにテープ又はネットを張って使用することが行われている。
本考案は、このような支柱に対して、テープ、ベルト、またはネットのロープ部分を支持させるための係止具に関する。係止具が支持する対象はこのように各種あるが、本明細書、図面、および実用新案登録請求の範囲ではテープを代表して説明する。従って、テープとは、ベルト、紐、ロープ等を包含するものとする。
【背景技術】
【０００２】
胡瓜や長芋、いんげん豆等のつる性の作物、あるいは茄子、花類、藺草等の直立支持が必要な植物は支柱を使用し、その支柱にネットを被せるか、支柱間にテープや紐材を支柱に直交して張り渡しつるや茎の生長を助けることが行われている。
支柱（パイプまたは棒材）には、直立単棒状のものも使用されるが、逆Ｖ字形状または逆Ｕ字形状に折り曲げた棒材を畑地に差し込みし、複数本を並べて使用することが行われる。また、テープ又は紐材は支柱に直交するように差し渡しされるが、ネットの場合は、ネット部分を逆Ｖ字形状または逆Ｕ字形状の支柱に被せて絡ませ、ネットの下辺の強化したロープまたは強度のあるテープ部分を支柱に係止させている。
【０００３】
この農園芸用支柱とネット、あるいは交差するテープ間の結び付けは、針金やテープを用いて縛るか、クリップ状のもので固定するのが従来の方法である。
しかし、これらの方法では、強固で緩まない係止は困難であるし、係止位置を変更し調整することはさらに困難で手間がかかる問題があった。
本願は、支柱に対するテープやネットの取り付けを容易にすることを課題とする。
【０００４】
本願に関連する先行技術文献に以下の文献がある。
特許文献１は、園芸用支柱クリップに関し、支柱にワイヤを巻き付けるクリップを提案している。しかし、このクリップは最初からクリップの頭部分の貫通孔にワイヤを通しておく必要があり、プランターや植木鉢用の植物に適用できるが、本格的な農園芸での実用には不向きと考えられる。
特許文献２は、支柱把持部と紐状体を間挿可能な溝部を有する特殊構造のクリップからなるものを提案している。紐状体が溝部から脱落し易いことが考えられる。
特許文献３は、立設した支柱とそれに直交する棒材間を特殊な金属フック材料で固定することを提案しているが、パイプとパイプの固定に関するものであって、本願のテープ状体を係止するものとは相違している。
【先行技術文献】
【特許文献】
【０００５】
【特許文献１】特開２００２−  ３４３５１号公報
【特許文献２】特開２００８−２２４０２３号公報
【特許文献３】特開２０１３−１００８９３号公報
【考案の概要】
【考案が解決しようとする課題】
【０００６】
農園芸用の断面円形の支柱を立設し、当該支柱に交差するようにテープ又はネットを係止して使用する場合に、脱落しないように支柱に簡単に装着でき、かつテープ状体も離脱しないように同時に結び付けることができる係止具を実現すること、好ましくはテープ状体を、係止具を支柱に装着した状態で支柱上の位置を変更できることが望ましい。
【課題を解決するための手段】
【０００７】
本考案の要旨の第１は、農園芸用の支柱を上下に摺動可能に挟持すると共に、該支柱と交差するテープ状体を離脱不能に保持するテープ係止具であって、該テープ係止具は長さ方向略中央部分の連結部を介して一方側に第１支柱挟持部を他方側に第２支柱挟持部を有し、双方の支柱挟持部は、拡開時において前記支柱を導入し得る開口部を支柱の外径未満の開口幅で有する筒状体であり、かつ前記連結部は前記開口に対する面側で前記支柱を略半円周の円弧で覆う断面形状を有し、前記連結部に対する開口面側は前記テープ状体を通すための切り欠き溝となっていることを特徴とする農園芸用支柱のテープ係止具、にある。
【０００８】
前記要旨の第１の農園芸用支柱のテープ係止具において、前記筒状体の前記開口部に対する背面に、筒状体の軸線方向の強度を強化する背面リブを有し、前記第１支柱挟持部と第２支柱挟持部には、筒状体の断面中心方向の圧縮力を強化する円弧状の横リブを有するようにでき、前記連結部の支柱外周面に接する内面には前記テープ状体を納めるテープ溝が形成されているようにすることもできる。
【０００９】
本考案の要旨の第２は、農園芸用の支柱を上下に摺動可能に挟持すると共に、該支柱と交差するテープ状体を離脱不能に保持するテープ係止具であって、該テープ係止具は長さ方向略中央部分の連結片を介して一方側に第１支柱挟持部を他方側に第２支柱挟持部を有し、双方の支柱挟持部は、拡開時において前記支柱を導入し得る開口部を支柱の外径未満の開口幅で有する筒状体であり、かつ前記連結片は前記開口に対する面側でテープ係止具の外方に環状に湾曲して突出する側面形状を有し、前記連結片に対する開口面側は前記テープ状体を通すための切り欠き溝となっていることを特徴とする農園芸用支柱のテープ係止具、にある。
【００１０】
前記要旨の第２の農園芸用支柱のテープ係止具において、前記筒状体の前記開口部に対する背面に、筒状体の軸線方向の強度を強化する背面リブを前記連結片を兼ねて有し、前記第１支柱挟持部と第２支柱挟持部には、筒状体の断面中心方向の圧縮力を強化する円弧状の横リブを有するようにすることもできる。
【００１１】
また、前記要旨の第１、第２の農園芸用支柱のテープ係止具において、前記横リブには、円弧状の輪ばねが嵌め込まれているようにすることもできる。
【考案の効果】
【００１２】
本考案の農園芸用支柱のテープ係止具（以下、略して「テープ係止具」という場合もある。）は、支柱を拡開可能な開口部を通して受け溝に導入するので、支柱が受け溝に納まった後は、開口部が元の幅近くに戻り大きな力を加えなければ支柱が脱落することがない。
本考案のテープ係止具は、支柱を挟持部で弾性的に挟持するが、人力により支柱における高さ位置を強制的に調整可能な程度の挟持力にされているため、植物の成育に伴ってテープやネットの高さ位置を自由に調整できる利点がある。
また、ネットを使用する場合は、植物の成長に伴う重みによりネットが弛む場合に、ネット下辺のテープ（またはロープ等）部分を係止具と共に下側に（地面に向かって）降ろすことで、ネットの弛みや撓みを除去できる効果を有する。
【００１３】
本考案の農園芸用支柱のテープ係止具（第１実施形態）は、テープ（またはロープ等）を支柱と切り欠き溝の間に保持するので、テープ切断がない限り係止具からテープが逃げる（外れる）ことがない。
本考案の農園芸用支柱のテープ係止具（第２実施形態）は、テープ（またはロープ等）を支柱と連結片が作る空間に保持するので、係止具が柱から浮きあがらず、また、テープ切断がない限り係止具からテープが逃げる（外れる）ことがない。
本考案の農園芸用支柱のテープ係止具（第１および第２実施形態）は、横リブを有するので、支柱に対する挟持力が経時的に低下することがない。横リブに環ばねを用いる場合は、挟持力の一層の強化を図れる。
【図面の簡単な説明】
【００１４】
【図１】第１実施形態のテープ係止具の斜視図と背面図、および平面図である。
【図２】第１実施形態のテープ係止具がテープを係止した状態を示す図である。
【図３】第２実施形態のテープ係止具の斜視図と背面図、および平面図である。
【図４】第２実施形態のテープ係止具がネットを係止した状態を示す図である。
【図５】立設した支柱にネットを被せ農作物を育成する状態を示す図である。
【図６】立設した支柱とテープにより農作物（茄子）を育成する状態を示す図である。
【図７】立設した支柱とネットにより植物（菊）を育成する状態を示す図である。
【考案を実施するための形態】
【００１５】
以下、図面を参照して本考案のテープ係止具について説明する。
図１は、第１実施形態のテープ係止具の前面側斜視図（Ａ）と背面図（Ｂ）、および平面図（Ｃ）である。
図１（Ａ）の斜視図のように、第１実施形態のテープ係止具１０は、全体としては円柱状の支柱を挟持するようにされた片側が開いた筒状形態であって、筒状の内部が支柱受け溝８になっている。テープ係止具全長の略中央部分にある連結部１７を介して、一方側に第１支柱挟持部１２、他方側に第２支柱挟持部１３を有している。
第１支柱挟持部１２と第２支柱挟持部１３は、連結部１７と切り欠き溝１１を中にして対称的にほぼ同形にされている。支柱挟持部１２，１３の前面には、拡開時において前記支柱を筒状体内に導入し得る開口部１２１、１３１を筒状体の軸線方向に平行な同一線上に有している。開口部１２１，１３１の開口幅Ｈ１（図１（Ｃ）参照）は、支柱の外径未満の幅にされている。テープ係止具は弾性のあるプラスチック材料からなるため、開口幅が拡開して支柱を受け溝８内に押し込み得るからである。支柱が受け溝８内に導入された後は、開口幅Ｈ１が拡開前の状態近くに縮小するので支柱の脱落を防止できる。
テープ係止具１０の全長Ｌ１（図１（Ｂ）参照）は、支柱外径Ｒの約４〜６倍程度の長さにされている。
【００１６】
前記切り欠き溝１１は、筒状体の長さ方向に平行する溝幅ｐ１を有し、かつ筒状体の略半円周近くを切り欠き、残りの略半円周部分が連結部１７となっている。溝幅ｐ１は、一般に１０〜１５ｍｍ程度にされる。ハウス押えベルトであるマイカ線(登録商標）等のテープ市販品がその程度の幅にされているからである。
連結部１７は、支柱を円弧で覆う断面形状を有し、支柱の外周面に接する内面には前記テープ状体を通し得るテープ溝１１１を形成することができる。
このテープ溝１１１内に柔軟なテープや紐を納めることで、これらがテープ係止具１０と支柱の間に挟まって係止具１０が支柱から浮き上がりするのを防止する効果を果たす。
ただし、延伸ポリエチレンテープのような軟質材料に限られ、硬質なテープ材料をテープ溝１１１内に納めることは困難な場合もある。
【００１７】
図１（Ｂ）の背面図のように、テープ係止具１０には、テープ係止具を強化する背面リブ１４と、横リブ１５，１６が形成されている。背面リブ１４はテープ係止具１０の軸線方向の曲げ力に対する強度を高め、横リブ１５，１６は支柱に対する締め付け力を強化する効果をする。背面リブ１４の上下端部では、後述するネット溝１１２を内面側に形成する目的から広幅に形成されている。
横リブ１５，１６にばね溝１５ｍ，１６ｍを切って、当該溝内に円弧状の環ばね１５ｂ，１６ｂを嵌め込みしても良い。これにより、テープ係止具１０の支柱挟持力を一層高めることができる。図１では、環ばね１５ｂ、６ｂが嵌め込まれた状態を図示しているが、なくても支柱挟持力を有し実用できるものである。
【００１８】
図１（Ｃ）の平面図のように、テープ係止具１０の中心には支柱受け溝８が形成されている。この支柱受け溝８は、支柱が導入されていない状態では、断面がやや楕円状であり楕円の短径ｒ１は、支柱の外径よりはやや小さな径になっている。
支柱を筒状体内に導入する開口部１２１、１３１の開口幅Ｈ１も前記のように支柱の外径よりは小さい幅にされている。開口幅Ｈ１は，支柱外径Ｒの０．７から０．９倍程度にするのが好ましい。
開口部１２１、１３１に対する背側には、背面内側を斜めに切削した溝が形成されている（図１（Ａ）も参照）。この溝は支柱に平行するネットの網目がある場合の網目を納めるネット溝１１２となる。この溝に網目を通すことで、網目によりテープ係止具１０が支柱から浮き上がりするのを緩和させる効果を有する。図示してないが、底面図は平面図と同様に現れ、底面側にも同様にネット溝が形成されている。
【００１９】
図２は、第１実施形態のテープ係止具がテープを係止した状態を示す図である。
支柱１は、通常、アルミニューム、鉄、またはプラスチック材料からなるもので、断面円形のパイプや棒材が用いられる。通常直径１９ｍｍや２２ｍｍのものが多用される。
立設または斜めに立てた支柱にテープ係止具１０を用いる場合は、テープ２との交差部に係止具１０をあてがい、テープ２が支柱１と係止具１０の切り欠き溝１１の間に係止されるように、係止具１０の開口部１２１，１３１側から支柱１を筒状体の支柱受け溝８内に納めるようにする。テープ２は、支柱よりも先に切り欠き溝１１の一方側から入って、柔軟なテープならば、内面のテープ溝１１１に納まって、支柱１の外面を約半円周接触して回り、支柱の他方側に抜けるようにされている。もっとも、硬質なテープの場合は変形し難いのでテープ溝１１１内に納まらない場合もある。
これにより、テープ係止具１０が支柱１を強固に挟持すると共に、テープ２を係止して脱落させない構造が形成される。テープ係止具１０は、人力により強制すれば、支柱１の円柱面を上下に摺動可能な程度の力で支柱１を挟持している。
なお、係止するのはテープ状体に限らず、ネットの下辺のロープであっても良く、紐またはベルト状のものでも良いのは前述のとおりである。
【００２０】
図３は、第２実施形態のテープ係止具の前面側斜視図（Ａ）と背面図（Ｂ）、および平面図（Ｃ）である。
図３（Ａ）の斜視図のように、第２実施形態のテープ係止具２０は、全体としては円柱状の支柱を挟持するようにされた片側が開いた筒状形態であって、筒状の内部が支柱受け溝８になっている。テープ係止具全長の略中央部分にある連結片２７を介して、一方側に第１支柱挟持部２２を他方側に第２支柱挟持部２３を有している。
第１支柱挟持部２２と第２支柱挟持部２３は、連結片２７と切り欠き溝２１を中にして対称的にほぼ同形にされている。支柱挟持部２２，２３の前面には、前記支柱を拡開時において筒状体内に導入し得る開口部２２１、２３１を筒状体の軸線方向に平行な同一線上に有している。第２実施形態の開口部２２１，２３１は、第１実施形態と異なり、外側にやや開いていて支柱を導入し易くするスライド面２２２，２３２を有している。
開口部２２１，２３１の開口幅Ｈ２（図２（Ｃ）参照）は、支柱の外径未満の幅にされている。テープ係止具は弾性のあるプラスチック材料からなるため、開口幅Ｈ２が拡開して支柱を受け溝８内に押し込み得るからである。支柱が受け溝８内に導入された後は、開口幅Ｈ２が拡開前の状態近くに縮小するので支柱の脱落を防止できる。
テープ係止具２０の全長Ｌ２（図２（Ｂ）参照）は、支柱外径Ｒの約３〜６倍程度の長さにされている。
【００２１】
前記切り欠き溝２１は、筒状体の長さ方向に平行する３〜８ｍｍ程度の溝幅ｐ２（図２（Ｂ）参照）を有する。第１実施形態と異なり、切り欠き溝２１は筒状体の全体を切断する深さにされている。そして、該切り欠き溝２１の端部においてテープ係止具１０の外方に環状に湾曲して突出する連結片２７により第１支柱挟持部２２と第２支柱挟持部２３が連結する構造にされている。第１支柱挟持部２２と第２支柱挟持部２３がこの連結片２７のみにより連結しているので、第１実施形態のテープ係止具よりは軸と直交する方向の屈曲性が大きくなっている。屈曲性は連結片２７の厚みにより調整可能であって、連結片２７の肉厚を薄くすれば曲げ性が高くなり、屈曲した支柱の屈曲部に用いることも可能になる。
ただし、屈曲性が高くされていても、溝幅ｐ２が小さければ屈曲はその範囲内に制限されることになる。
支柱１と交差するテープ状体は、嵌め込まれた支柱１と環状に湾曲した連結片２７が形成する略円形の間隙２８を通ることになる。これにより、係止具２０からのテープの離脱が防止される。連結片２７の内面と支柱が作る略円形の間隙２８の内径は、４〜８ｍｍ程度にされる。この間隙２８内にテープやロープ、あるいはベルトが係止されるが、支柱１と直交する方向の動きは比較的に自由になっている。
【００２２】
図３（Ｂ）の背面図のように、テープ係止具２０には、テープ係止具を強化する背面リブ２４と、横リブ２５，２６が形成されている。背面リブ２４は、中央部分においては連結片２７を兼ねる構造にされている。
横リブ２５，２６は圧縮力を高める効果をする。横リブ２５，２６に溝２５ｍ，２６ｍを切って、当該溝内に円弧状の環ばね２５ｂ，２６ｂを嵌め込みしても良い。これにより、係止具の支柱挟持力を一層高められる。図３は、環ばね２５ｂ，２６ｂが嵌め込まれた状態を図示しているが、なくても支柱挟持力を有し実用できるものである。
【００２３】
図３（Ｃ）の平面図のように、テープ係止具２０の中心には支柱受け溝８が形成されている。この受け溝８は、支柱が導入されていない状態では、断面がやや楕円状であり楕円の短径ｒ２は、支柱の外径よりは小さな径になっている。
支柱を筒状体内に導入する開口部２２１、２３１の開口幅Ｈ２も前記のように支柱の外径よりは小さい幅にされている。開口幅Ｈ２は，支柱外径Ｒの０．７から０．９倍程度にするのが好ましい。前記したスライド面２２２，２３２は開口部２２１，２３１の両側にあるものである。
【００２４】
図４は、第２実施形態のテープ係止具がネットを係止した状態を示す図である。
支柱１は、第１実施形態と同質のものが使用対象となる。
立設または斜めに立てた支柱にテープ係止具２０を用いる場合は、ネット下辺のロープ３との交差部に係止具２０をあてがい、ロープ３が支柱１に係止されるように、テープ係止具２０の開口部２２１，２３１側から支柱１を筒状体の内部に納める。
ロープ３は切り欠き溝２１の一方側から入って、前記のように嵌め込まれた支柱１と環状に湾曲した連結片２７とが形成する間隙２８内に納まるようにされる。従って、支柱の外周にロープがまつわり付くようなことが無い利点がある。テープ係止具２０が、人力により支柱１の円柱面を摺動可能なことは第１実施形態のテープ係止具１０と同様である。
なお、係止するのはロープに限らず、テープまたはベルト、紐状のものでも良いことも前記のとおりである。
【００２５】
このようなテープ係止具１０，２０の製造は、プラスチック製品製造の常法に従い、金型を使用した射出成型法により製造することができる。前記の切り欠き溝１１，２１、開口部１２１，１３１，２２１，２３１、テープ溝１１１等も一体に成型されるもので、成型後に切削等するものではない。
樹脂材料としては、耐光性、耐候性のある材料が好ましく、一般にポリエチレン、ポリプロピレン、ポリカーボネート、塩化ビニル等を使用できるが、耐久性等の観点からポリエチレンを使用するのが好ましい。
横リブに環ばねを使用する場合は、適宜に切断した環ばねをばね溝１５ｍ，１６ｍ，２５ｍ，２６ｍに嵌め込みする。
【００２６】
次に、テープ係止具の使用方法について説明する。
図５は、立設した支柱にネットを被せ農作物（例えば、いんげん豆）を育成する状態を示す図である。逆Ｕ字形状の支柱１を天空に頂点を有するように複数本を立設し、その支柱群の全体にネットを被せてある。テープ係止具１０，２０は、ネットの下辺であるロープ３を支柱１に固定するように装着されている。
植物５が成長し、葉や実の重みでネットが弛んだ（または撓んだ）場合は、テープ係止具を強制的に下降させれば、ネットの弛みを無くすことができる。なお、テープ係止具１０，２０と表示するのは、係止具１０でも係止具２０でも何れでも構わない意味である。
植物５は、対向側の支柱からも成長させることができるので、双方の植物が作る逆Ｕ字形状の空間内においても農作業を行うことができる。
【００２７】
図６は、立設した支柱とテープにより農作物（茄子）を育成する状態を示す図である。
図６の場合も逆Ｕ字形状の支柱１を天空に頂点を有するように複数本が立設されているが、各支柱１間は複数本のテープ（マイカ線等）２により連結されている。
農作物の成長高さにもよるが、１本の支柱に５〜１０本程度のテープ２が支柱１に交差するように略平行に張り渡される。植物５の茎部分と支柱１またはテープ２の間を適宜箇所で結ぶことができる。補強用の支柱１ｈも随所に使用されている。
幅５〜６ｍｍ程度以上のテープ２を使用する場合のテープ２の係止には、第１実施形態のテープ係止具１０の使用が好ましい。広幅の硬いテープを折り畳まないで係止具を通すためには、係止具１０の形状が好適だからである。
【００２８】
図７は、立設した支柱とネットにより植物（菊）を育成する状態を示す図である。
人が両側から作業して、手が届く範囲に植物があるように、幅７０〜８０ｃｍ間隔にして支柱１を直立に立設する。長さ方向は、１ｍ程度の間隔を置いて、対向するように支柱１を立設する。ネットの端縁ロープ３をテープ係止具１０，２０により支柱１に係止する。
植物が若い菊苗６ｎである場合は、図７（Ａ）のようにネットを低い位置に張り渡し、成長に従いネットを高い位置に順次平行移動させる。そのためには、テープ係止具１０，２０を、支柱１に取り付けした状態でネットと一緒に摺動できることが好ましい。
それにより、菊６は弱い先端近くを、いずれの成長段階でもネットの網目４に支持されて折れることなく成長できる。本考案のテープ係止具１０，２０はその機能を補助するものである。
図７（Ｂ）は、菊が成長して花を咲かせた状態である。この状態では、ネットは最も高い位置にされている。菊６は、茎を適宜長さ位置から切断されて出荷される。
このような、育成方法は、菊（電照菊）やカーネーション、藺草等のように直立して成長する植物に採用される。
【実施例】
【００２９】
(実施例１)
ポリエチレン樹脂を使用し、外径Ｒ＝１９ｍｍの支柱用テープ係止具１０(実施形態１)を各部寸法が以下になるように射出成型法により製造した。
全長Ｌ１＝９０ｍｍ、溝幅ｐ１＝１５ｍｍ、開口幅Ｈ１＝１１ｍｍ、短径ｒ１＝１６ｍｍ
各部の肉厚は、２．２〜４．０ｍｍの範囲になるようにした。
ばね溝には、環ばねを使わずに使用した。
(実施例２)
実施例１と同一条件で射出成型してテープ係止具１０(実施形態１)を製造した。
ただし、ばね溝１５ｍ、１６ｍには、直径１．３ｍｍの環ばねを円弧状に切断し嵌め込みして使用した。
【００３０】
(実施例３)
ポリエチレン樹脂を使用し、外径Ｒ＝２２ｍｍの支柱用テープ係止具２０(実施形態２)を各部寸法が以下になるように射出成型法により製造した。
全長Ｌ２＝７２ｍｍ、溝幅ｐ２＝４.０ｍｍ、開口幅Ｈ２＝１３ｍｍ、短径ｒ２＝１９ｍｍ
各部の肉厚は、２．５〜４．０ｍｍの範囲になるようにした。
ばね溝には、直径１．３ｍｍの環ばねを円弧状に切断し嵌め込んで使用した。
【００３１】
実施例１，２，３のテープ係止具１０，２０を前述した各使用方法に適用して、好適に使用することができた。
【符号の説明】
【００３２】
１  支柱
２  テープ
３  ネットの下辺ロープ、ネットの端縁ロープ
４  ネットの網目
５  植物
７  畑地
８  支柱受け溝
１０，２０  テープ係止具
１１，２１  切り欠き溝
１２，２２  第１支柱挟持部
１３，２３  第２支柱挟持部
１４，２４  背面リブ
１５，１６，２５，２６  横リブ
１５ｂ，１６ｂ，２５ｂ，２６ｂ  環ばね
１５ｍ，１６ｍ，２５ｍ，２６ｍ  ばね溝
１７  連結部
２７  連結片
２８  間隙
１１１  テープ溝
１１２  ネット溝
１２１，１３１，２２１，２３１  開口部
Ｒ    支柱外径
Ｈ１，Ｈ２  開口幅
Ｌ１，Ｌ２  全長
ｐ１，ｐ２  溝幅
ｒ１，ｒ２  短径
【図１】
0003187316.tif 000003
【図２】
0003187316.tif 000004
【図３】
0003187316.tif 000005
【図４】
0003187316.tif 000006
【図５】
0003187316.tif 000007
【図６】
0003187316.tif 000008
【図７】
0003187316.tif 000009